(57)【特許請求の範囲】
【請求項１】
圧縮機（21）と凝縮器（22）と膨張機構（23）とを有する熱源側回路（12）と熱源側ファン（24）とこれらを収容する熱源側ケーシング（41）とを有する熱源側ユニット（20）と、蒸発器（31）を有して上記熱源側回路（12）に接続された利用側回路（13）と利用側ファン（32）とこれらを収容する利用側ケーシング（42）とを有して上記熱源側ユニット（20）と一体に構成された利用側ユニット（30）とを備え、船舶に搭載された糧食庫（1）に設けられて庫内の空気を冷却する糧食庫用冷凍装置（10）を、上記糧食庫（1）の側壁（5）に形成された開口（6）に挿通して所定の設置位置において上記糧食庫（1）の側壁（5）に取り付けるための取付器具であって、
上記設置位置において上記開口（6）に挿通された上記熱源側ユニット（20）の上記熱源側ケーシング（41）の庫内に位置する部分に固定される第１の固定部と、該第１の固定部に連続し、上記糧食庫（1）の側壁（5）内面に固定される第２の固定部とを有し、上記糧食庫（1）の庫内側から上記糧食庫用冷凍装置（10）を取り付ける取付部材（51）を備え、
上記第１の固定部は、上記設置位置に配置された上記糧食庫用冷凍装置（10）の上記熱源側ケーシング（41）の庫内に位置する部分を取り囲む枠状部材（53）によって構成され、
上記取付部材（51）は、上記第１の固定部を構成する枠状部材（53）から上記熱源側ケーシング（41）に沿って庫外方向へ延長され、上記熱源側ユニット（20）の上記開口（6）への挿入をガイドする延長部（55）を有し、
上記延長部（55）は、枠状に形成されて上記熱源側ケーシング（41）の外周を取り囲み、上記糧食庫（1）の側壁（5）に垂直な方向の長さが該側壁（5）の厚み方向の長さよりも長くなるように形成されている
ことを特徴とする船舶の糧食庫用冷凍装置の取付器具。
【請求項２】
請求項１において、
上記設置位置に配置された上記糧食庫用冷凍装置（10）の上記熱源側ケーシング（41）の庫内に位置する部分を覆う断熱部材（59）を有している
ことを特徴とする船舶の糧食庫用冷凍装置の取付器具。
【請求項３】
圧縮機（21）と凝縮器（22）と膨張機構（23）とを有する熱源側回路（12）と熱源側ファン（24）とこれらを収容する熱源側ケーシング（41）とを有する熱源側ユニット（20）と、蒸発器（31）を有して上記熱源側回路（12）に接続された利用側回路（13）と利用側ファン（32）とこれらを収容する利用側ケーシング（42）とを有して上記熱源側ユニット（20）と一体に構成された利用側ユニット（30）とを備え、船舶に搭載された糧食庫（1）に設けられて庫内の空気を冷却する糧食庫用冷凍装置（10）を、上記糧食庫（1）の側壁（5）に形成された開口（6）に挿通して所定の設置位置において上記糧食庫（1）の側壁（5）に取り付けるための取付器具であって、
上記設置位置において上記開口（6）に挿通された上記熱源側ユニット（20）の上記熱源側ケーシング（41）の庫内に位置する部分に固定される第１の固定部と、該第１の固定部に連続し、上記糧食庫（1）の側壁（5）内面に固定される第２の固定部とを有し、上記糧食庫（1）の庫内側から上記糧食庫用冷凍装置（10）を取り付ける取付部材（51）を備え、
上記取付部材（51）は、上記利用側ユニット（30）が挿通される貫通孔（71a）を有し、上記熱源側ケーシング（41）の庫内側の端部に固定されると共に、上記開口（6）を庫内側から閉塞して上記糧食庫（1）の側壁（5）内面に固定される閉塞壁（70）によって構成され、
上記閉塞壁（70）は、内部に断熱材料が設置された断熱パネルによって構成された壁本体（71）と、該壁本体（71）の外周部の全周を取り囲み、鋼材によって構成されて該壁本体（71）の外周部を補強する枠部材（72）とによって構成され、
上記枠部材（72）によって補強された上記閉塞壁（70）の外周部（70a）は、該外周部（70a）に挿通された複数のボルト（63）によって上記糧食庫（1）の側壁（5）内面に固定され、上記第２の固定部を構成している
ことを特徴とする船舶の糧食庫用冷凍装置の取付器具。
【請求項４】
請求項１乃至３のいずれか１つにおいて、
上記第２の固定部が固定される上記糧食庫（1）の側壁（5）の上記開口（6）の周壁部を補強する補強金具（52）を備えている
ことを特徴とする船舶の糧食庫用冷凍装置の取付器具。
【請求項５】
請求項１乃至４のいずれか１つにおいて、
上記糧食庫（1）の庫外側に設けられ、上記設置位置に配置された上記糧食庫用冷凍装置（10）の上記熱源側ユニット（20）を支持する支持台（56）を備えている
ことを特徴とする船舶の糧食庫用冷凍装置の取付器具。
【発明の詳細な説明】
【技術分野】
【０００１】
本発明は、船舶の糧食庫用冷凍装置の取付器具及び取付方法に関するものである。
【背景技術】
【０００２】
従来、船舶には、航海中の乗組員の食糧を保存するために糧食庫が設けられ、該糧食庫には、庫内を冷却する冷凍装置が設けられている。船舶の糧食庫用冷凍装置は、陸上においてプレハブ冷凍庫等に取り付けられる冷凍装置と同様に構成され、圧縮機及び水冷式の凝縮器を有するコンデンシングユニットと膨張機構が組み込まれた膨張弁パネルとを備えて庫外に設置される熱源側ユニットと、蒸発器と利用側ファンとがケーシング内に収容されて庫内に設置される利用側ユニットとを有している。圧縮機と水冷式の凝縮器と膨張機構と蒸発器とが順に接続されて冷媒回路を構成し、該冷媒回路に冷媒が循環して冷凍サイクルが行われることによって蒸発器において庫内の空気が冷却される。なお、熱源側ユニットの水冷式の凝縮器には、冷却水配管が接続され、凝縮熱を冷却水に放熱している。
【先行技術文献】
【特許文献】
【０００３】
【特許文献１】特開平１０−２０５９８１号公報
【発明の概要】
【発明が解決しようとする課題】
【０００４】
ところで、従来の船舶の糧食庫用冷凍装置では、熱源側ユニットが、利用側ユニットから離れた位置に設けられていたため、熱源側ユニットと利用側ユニットとに跨がって設けられる冷媒回路の接続用配管が長くなり、また、冷却水配管を施工する事が必要であったため、施工工数が増大すると共に施工コストが嵩むという問題があった。また、狭い船内では熱源側ユニットの設置スペースの確保が困難であった。
【０００５】
これに対し、空冷式の凝縮器を用いると共に、熱源側ユニットと利用側ユニットとを一体に形成した冷凍装置を設けることが考えられる。陸上用のプレハブ冷凍庫等においても一体型の冷凍装置が設けられているが、陸上では上方又は周囲に大きなスペースを確保することができるため、プレハブ冷凍庫の天井面や側壁面に開口を形成し、庫外から一体型の冷凍装置の利用側ユニットを開口に挿通して庫内に位置させた状態で、一体型の冷凍装置を天井又は側壁面に庫外側から取り付けている（例えば、上記特許文献２を参照）。
【０００６】
しかしながら、船舶では、波による揺動等の大きな荷重を支えるために巨大な梁が設けられている。また、糧食庫は庫内への侵入口にあたる扉以外の天井及び側壁のほとんどを船体構造である鉄板に覆われている。そのため、陸上用のプレハブ冷凍庫のように、糧食庫の天井に一体型の冷凍装置を設置するためのスペースが確保できない。また、糧食庫は、船内の限りあるスペースに設置されるため、糧食庫の側方のスペースも広く確保できない。そのため、糧食庫の側壁に一体型の冷凍装置の設置スペースを確保できたとしても、糧食庫の側方のスペースが狭いために糧食庫の庫外側からの着脱作業及び糧食庫の庫外側からのメンテナンス作業が非常に困難なものとなっていた。そこで、船舶の糧食庫用冷凍装置として、熱源側ユニットと利用側ユニットとが一体に形成された冷凍装置を、糧食庫の庫内側から着脱可能に構成することが望まれていた。
【０００７】
本発明は、斯かる点に鑑みてなされたものであり、糧食庫内から着脱が可能な船舶の糧食庫用冷凍装置の取付器具及び取付方法を提供することを目的とする。
【課題を解決するための手段】
【０００８】
第１の発明は、圧縮機（21）と凝縮器（22）と膨張機構（23）とを有する熱源側回路（12）と熱源側ファン（24）とこれらを収容する熱源側ケーシング（41）とを有する熱源側ユニット（20）と、蒸発器（31）を有して上記熱源側回路（12）に接続された利用側回路（13）と利用側ファン（32）とこれらを収容する利用側ケーシング（42）とを有して上記熱源側ユニット（20）と一体に構成された利用側ユニット（30）とを備え、船舶に搭載された糧食庫（1）に設けられて庫内の空気を冷却する糧食庫用冷凍装置（10）を、上記糧食庫（1）の側壁（5）に形成された開口（6）に挿通して所定の設置位置において上記糧食庫（1）の側壁（5）に取り付けるための取付器具であって、上記設置位置において上記開口（6）に挿通された上記熱源側ユニット（20）の上記熱源側ケーシング（41）の庫内に位置する部分に固定される第１の固定部と、該第１の固定部に連続し、上記糧食庫（1）の側壁（5）内面に固定される第２の固定部とを有し、上記糧食庫（1）の庫内側から上記糧食庫用冷凍装置（10）を取り付ける取付部材（51）を備えている。
【０００９】
第１の発明では、熱源側ユニット（20）を糧食庫（1）の庫内側から側壁（5）の開口（6）に挿通させることによって、船舶の糧食庫用冷凍装置（10）を設置位置に配置し、設置位置において熱源側ケーシング（41）の庫内に位置する部分に取付部材（51）の第１の固定部を固定する一方、糧食庫（1）の側壁（5）内面に取付部材（51）の第２の固定部を固定することによって、糧食庫用冷凍装置（10）が取付部材（51）によって糧食庫（1）の側壁（5）に取り付けられる。つまり、糧食庫用冷凍装置（10）の配置作業と取付部材（51）の固定作業とを庫内において行うことによって、糧食庫用冷凍装置（10）が糧食庫（1）の側壁（5）に取り付けられる。また、糧食庫用冷凍装置（10）の取り外し作業は、庫内において第１及び第２の固定部の固定状態を解除し、糧食庫用冷凍装置（10）を開口（6）から庫内側に引き抜くことによって行われる。つまり、取付部材（51）の固定状態を解除する解除作業と糧食庫用冷凍装置（10）の引き抜き作業とを庫内において行うことによって、糧食庫用冷凍装置（10）が糧食庫（1）の側壁（5）から取り外される。このように、糧食庫用冷凍装置（10）の糧食庫（1）の側壁（5）への着脱作業が庫内において実行可能なように構成されることにより、糧食庫用冷凍装置（10）の着脱作業を要するメンテナンス作業についても庫内において実行可能となる。
【００１０】
また、第１の発明は、上記構成に加え、上記第１の固定部は、上記設置位置に配置された上記糧食庫用冷凍装置（10）の上記熱源側ケーシング（41）の庫内に位置する部分を取り囲む枠状部材（53）によって構成されている。
【００１１】
第１の発明では、枠状部材（53）によって構成された第１の固定部により、取付部材（51）と熱源側ケーシング（41）との固定が強固になる。
【００１２】
また、第１の発明は、上記構成に加え、上記取付部材（51）は、上記第１の固定部から上記熱源側ケーシング（41）に沿って庫外方向へ延長され、上記熱源側ユニット（20）の上記開口（6）への挿入をガイドする延長部（55）を有している。
【００１３】
第１の発明では、熱源側ユニット（20）が、第１の固定部から庫外側へ延長する延長部（55）によって円滑に開口に挿入される。
【００１４】
また、第１の発明は、上記構成に加え、上記延長部（55）は、枠状に形成されて上記熱源側ケーシング（41）の外周を取り囲み、上記糧食庫（1）の側壁（5）に垂直な方向の長さが該側壁（5）の厚み方向の長さよりも長くなるように形成されている。
【００１５】
第２の発明は、第１の発明において、上記設置位置に配置された上記糧食庫用冷凍装置（10）の上記熱源側ケーシング（41）の庫内に位置する部分を覆う断熱部材（59）を有している。
【００１６】
ところで、熱源側ユニット（20）が糧食庫（1）の側壁（5）の開口（6）に挿通された状態で糧食庫用冷凍装置（10）を糧食庫（1）の側壁（5）に取り付けることとすると、糧食庫用冷凍装置（10）の内部に十分な断熱部材が設けられていない場合には、熱源側ユニット（20）の凝縮器（22）において空気に放出される高圧冷媒の熱が庫内の空気に伝達されて庫内の空気を加熱するおそれがある。
【００１７】
これに対し、第２の発明では、設置位置に配置された糧食庫用冷凍装置（10）の熱源側ケーシング（41）の庫内に位置する部分が、断熱部材（59）によって覆われている。そのため、熱源側ユニット（20）の熱の庫内の空気への伝達が遮断される。
【００１８】
第３の発明は、圧縮機（21）と凝縮器（22）と膨張機構（23）とを有する熱源側回路（12）と熱源側ファン（24）とこれらを収容する熱源側ケーシング（41）とを有する熱源側ユニット（20）と、蒸発器（31）を有して上記熱源側回路（12）に接続された利用側回路（13）と利用側ファン（32）とこれらを収容する利用側ケーシング（42）とを有して上記熱源側ユニット（20）と一体に構成された利用側ユニット（30）とを備え、船舶に搭載された糧食庫（1）に設けられて庫内の空気を冷却する糧食庫用冷凍装置（10）を、上記糧食庫（1）の側壁（5）に形成された開口（6）に挿通して所定の設置位置において上記糧食庫（1）の側壁（5）に取り付けるための取付器具であって、上記設置位置において上記開口（6）に挿通された上記熱源側ユニット（20）の上記熱源側ケーシング（41）の庫内に位置する部分に固定される第１の固定部と、該第１の固定部に連続し、上記糧食庫（1）の側壁（5）内面に固定される第２の固定部とを有し、上記糧食庫（1）の庫内側から上記糧食庫用冷凍装置（10）を取り付ける取付部材（51）を備え、上記取付部材（51）は、上記利用側ユニット（30）が挿通される貫通孔（71a）を有し、上記熱源側ケーシング（41）の庫内側の端部に固定されると共に、上記開口（6）を庫内側から閉塞して上記糧食庫（1）の側壁（5）内面に固定される閉塞壁（70）によって構成され、上記閉塞壁（70）は、内部に断熱材料が設置された断熱パネルによって構成された壁本体（71）と、該壁本体（71）の外周部の全周を取り囲み、鋼材によって構成されて該壁本体（71）の外周部を補強する枠部材（72）とによって構成され、上記枠部材（72）によって補強された上記閉塞壁（70）の外周部（70a）は、該外周部（70a）に挿通された複数のボルト（63）によって上記糧食庫（1）の側壁（5）内面に固定され、上記第２の固定部を構成している。
【００１９】
第３の発明では、貫通孔（71a）に利用側ユニット（30）を挿通すると共に熱源側ケーシング（41）の庫内側の端部に固定された閉塞壁（70）を、開口（6）を庫内側から閉塞するように配置して、閉塞壁（70）と糧食庫（1）の側壁（5）内面とを固定する。これにより、糧食庫用冷凍装置（10）が糧食庫（1）の側壁（5）に容易に取り付けられる。
【００２０】
第４の発明は、第１乃至第３のいずれか１つの発明において、上記第２の固定部が固定される上記糧食庫（1）の側壁（5）の上記開口（6）の周壁部を補強する補強金具（52）を備えている。
【００２１】
第４の発明では、取付部材（51）の第２の固定部が固定される開口（6）の周壁部が、補強金具（52）によって補強される。そのため、糧食庫（1）の側壁（5）において、糧食庫用冷凍装置（10）の荷重が負荷される部分の剛性が増大する。
【００２２】
第５の発明は、第１乃至第４のいずれか１つにおいて、上記糧食庫（1）の庫外側に設けられ、上記設置位置に配置された上記糧食庫用冷凍装置（10）の上記熱源側ユニット（20）を支持する支持台（56）を備えている。
【００２３】
第５の発明では、設置位置において、熱源側ユニット（20）が支持台（56）によって支持される。これにより、設置位置に配置された糧食庫用冷凍装置（10）の荷重を支持する支持面が大きくなる。
【発明の効果】
【００２４】
第１の発明によれば、熱源側ユニット（20）を糧食庫（1）の庫内側から側壁（5）の開口（6）に挿通させることによって船舶の糧食庫用冷凍装置（10）を設置位置に配置し、設置位置に配置された糧食庫用冷凍装置（10）の熱源側ケーシング（41）の庫内に位置する部分に固定される第１の固定部と糧食庫（1）の側壁（5）内面に固定される第２の固定部とを有する取付部材（51）によって、糧食庫用冷凍装置（10）を糧食庫（1）の側壁（5）に取り付けることとした。このように、糧食庫用冷凍装置（10）が設置位置に配置された際に、第１及び第２の固定部が庫内に位置するように取付部材（51）を設けることにより、取付部材（51）の固定作業を庫内において行うことができる。よって、糧食庫用冷凍装置（10）を糧食庫（1）の側壁（5）に取り付けるための取付作業、即ち、糧食庫用冷凍装置（10）の配置作業及び取付部材（51）の固定作業を、庫内において行うことができる。また、逆に、糧食庫用冷凍装置（10）を取り外すための取り外し作業、即ち、取付部材（51）の第１及び第２の固定部の固定状態の解除と、糧食庫用冷凍装置（10）の開口（6）からの引き抜き作業についても、庫内において行うことが可能となる。さらに、このように糧食庫用冷凍装置（10）の着脱作業を庫内において行うことができるため、糧食庫用冷凍装置（10）の着脱作業を要するメンテナンス作業についても庫内において行うことができる。つまり、第１の発明によれば、船舶の糧食庫用冷凍装置（10）の着脱作業及びメンテナンス作業を庫内において行うことができる。その結果、船舶に搭載された糧食庫（1）の狭い庫外において糧食庫用冷凍装置（10）の着脱作業及びメンテナンス作業を行う場合に比べて、格段に各作業の作業効率を向上させることができる。
【００２５】
また、第１の発明によれば、第１の固定部を、設置位置に配置された糧食庫用冷凍装置（10）の熱源側ケーシング（41）の庫内に位置する部分を取り囲む枠状部材（53）によって構成したため、取付部材（51）と熱源側ケーシング（41）との固定が強固になり、船舶の糧食庫用冷凍装置（10）を糧食庫（1）の側壁（5）にしっかりと取り付けることができる。
【００２６】
また、第１の発明によれば、第１の固定部から庫外側へ延長する延長部（55）によって、熱源側ユニット（20）の庫内側から開口（6）への挿入を円滑に行うことができる。従って、船舶の糧食庫用冷凍装置（10）の取付作業を容易化することができる。
【００２７】
また、第２の発明によれば、取付部材（51）に、設置位置に配置された糧食庫用冷凍装置（10）の熱源側ケーシング（41）の庫内に位置する部分を覆う断熱部材（59）を設けることにより、糧食庫用冷凍装置（10）を変更することなく、容易に熱源側ユニット（20）から庫内への熱伝達を抑制して冷却効率の低下を防止することができる。
【００２８】
また、第３の発明によれば、貫通孔（71a）を形成した閉塞壁（70）によって、取付部材（51）を容易に構成することができる。
【００２９】
また、第４の発明によれば、取付部材（51）の第２の固定部が固定される開口（6）の周壁部を補強する補強金具（52）を設けることとした。従って、糧食庫（1）の側壁（5）において、糧食庫用冷凍装置（10）の荷重が負荷される部分の剛性を増大させることができるため、糧食庫用冷凍装置（10）を糧食庫（1）の側壁（5）にしっかりと取り付けることができる。
【００３０】
また、第５の発明によれば、糧食庫（1）の庫外側に支持台（56）を設けることにより、設置位置に配置された糧食庫用冷凍装置（10）の荷重を支持する支持面が大きくなるため、糧食庫（1）の側壁（5）の開口（6）の下方の周壁部の損傷を防止することができる。
【図面の簡単な説明】
【００３１】
【図１】図１は、実施形態１に係る船舶の糧食庫用冷凍装置の糧食庫における設置位置を示す平面図である。
【図２】図２は、実施形態１に係る船舶の糧食庫用冷凍装置の概略構成を示す冷媒回路図である。
【図３】図３は、実施形態１に係る船舶の糧食庫用冷凍装置と取付器具の概略構成を示す縦断面図である。
【図４】図４は、実施形態１に係る船舶の糧食庫用冷凍装置のケーシングの一部のパネル部材を取り外した状態を示す斜視図である。
【図５】図５は、図３のV−V方向断面図である。
【図６】図６は、図３のVI−VI方向断面図である。
【図７】図７は、実施形態１に係る取付器具の概略構成を示す縦断面図である。
【図８】図８は、実施形態１に係る取付部材の概略構成を示す斜視図である。
【図９】図９は、図３の取付器具部分を拡大して示す縦断面図である。
【図１０】図１０は、実施形態２に係る取付器具の概略構成を示す縦断面図である。
【図１１】図１１は、実施形態２に係る取付部材の概略構成を示す斜視図である。
【図１２】図１２は、実施形態３に係る取付部材及び断熱部材の概略構成を示す斜視図である。
【図１３】図１３は、実施形態４に係る取付器具の概略構成を示す縦断面図である。
【図１４】図１４は、実施形態４に係る閉塞壁の正面図である。
【発明を実施するための形態】
【００３２】
以下、本発明の実施形態を図面に基づいて詳細に説明する。
【００３３】
〈発明の実施形態１〉
図１に示すように、本発明に係る船舶の糧食庫用冷凍装置（10）（以下、単に冷凍装置（10）と言う。）は、船舶に設けられた糧食庫（1）に設置され、庫内の空気を冷却する。
【００３４】
本実施形態では、糧食庫（1）は、内部に断熱材料が設置された断熱パネルによって形成され、前側の側壁（2）に扉（3）によって閉塞される出入口（4）が形成される一方、後側の側壁（5）に冷凍装置（10）が取り付けられている。糧食庫（1）は、船舶内の角隅部において、船体の壁（7）からの距離が５００ｍｍ程度の位置に設置され、船体の壁（7）と糧食庫（1）の後側の側壁（5）との間のすぐ上方には、船体の梁（8）が設けられている。詳細については後述するが、冷凍装置（10）は、糧食庫（1）の後側の側壁（5）に形成された開口（6）に挿通された状態で、後側の側壁（5）に取り付けられている。また、冷凍装置（10）には、後述する冷媒回路（11）の構成機器等を制御して冷却運転を制御する制御部が設けられ、該制御部に電気的に接続された操作部（9）が糧食庫（1）の前側の側壁（2）の出入口（4）近くに取り付けられている。操作部（9）は、作業者によって入力された冷却運転に関する指令信号を上記制御部に送信するように構成されている。
【００３５】
図２に示すように、冷凍装置（10）は、熱源側ユニット（20）と利用側ユニット（30）とを備えている。熱源側ユニット（20）は、圧縮機（21）と空気熱交換器からなる凝縮器（22）と膨張機構である電動式又は感温式の膨張弁（23）とが接続されて冷媒が流れる熱源側回路（12）と、凝縮器（22）に庫外空気を導く熱源側ファン（24）と、これらを収容する熱源側ケーシング（41）とを有している。一方、利用側ユニット（30）は、空気熱交換器からなる蒸発器（31）が接続されて冷媒が流れる利用側回路（13）と、蒸発器（31）で冷却された冷却空気を庫内に供給する利用側ファン（32）と、これらを収容する利用側ケーシング（42）とを有している。熱源側回路（12）と利用側回路（13）とは、互いに配管接続され、冷媒が循環して蒸気圧縮式の冷凍サイクルを行う冷媒回路（11）を構成している。
【００３６】
図３に示すように、熱源側ユニット（20）と利用側ユニット（30）とは、一体に構成されている。具体的には、熱源側ケーシング（41）と利用側ケーシング（42）とが、一体のケーシング（40）を構成することによって、熱源側ユニット（20）と利用側ユニット（30）とが一体に構成されている。
【００３７】
図４に示すように、熱源側ケーシング（41）は、上記圧縮機（21）、凝縮器（22）、熱源側ファン（24）等を取り付けられるような強度を持たせたフレーム構造を有している。具体的には、１２本の山形鋼（Ｌ型鋼）からなるフレーム部材（43）と、６つのパネル部材（44）とを有し、上下方向に長い直方体形状の筺状体に形成されている。１２本のフレーム部材（43）は、上下方向に延びる４つのフレーム部材（43）が柱となり、左右方向に延びる４つのフレーム部材（43）が梁となり、前後方向に延びる４つのフレーム部材（43）が桁となり、柱と梁と桁とが接合されて上下方向に長い直方体形状のフレームを構成している。６つのパネル部材（44）は、上記フレームに固定され、熱源側ケーシング（41）の上面、下面、左側面、右側面、前面、背面を形成する。各パネル部材（44）の４つの辺部にそれぞれ固定される４つのフレーム部材（43）によって形成される枠状部材により、各パネル部材（44）は内側から支持されている。
【００３８】
一方、利用側ケーシング（42）は、前後方向に延びる４本の山形鋼からなるフレーム部材（43）と、上面、下面、左側面、右側面、前面を形成する５つのパネル部材（44）とを有し、背面側が開口する直方体形状の筺状体に形成されている。また、利用側ケーシング（42）は、下面を形成するパネル部材（44）の後端部の外側面に固定されて利用側ケーシング（42）を補強する補強用フレーム部材（45）を有している。補強用フレーム部材（45）は、山形鋼によって構成されている。補強用フレーム部材（45）の片側は、利用側ケーシング（42）の下面を形成するパネル部材（44）の後端部の外側面に沿って左右方向に延び、該パネル部材（44）に固定される。一方、補強用フレーム部材（45）の他の片側は、熱源側ケーシング（41）の前面を形成するパネル部材（44）に沿って左右方向に延び、該パネル部材（44）に固定される。
【００３９】
本実施形態では、熱源側ケーシング（41）の左上角部において前後方向に延びるフレーム部材（43）と、利用側ケーシング（42）の左上角部において前後方向に延びるフレーム部材（43）とが一体に形成され、熱源側ユニット（20）の挿通方向においてケーシング（40）の一端から他端まで延びる桁部材を構成する。また、熱源側ケーシング（41）の右上角部において前後方向に延びるフレーム部材（43）と、利用側ケーシング（42）の右上角部において前後方向に延びるフレーム部材（43）とが一体に形成され、熱源側ユニット（20）の挿通方向においてケーシング（40）の一端から他端まで延びる桁部材を構成する。また、熱源側ケーシング（41）の左側面を形成するパネル部材（44）と、利用側ケーシング（42）の左側面を形成するパネル部材（44）とが一体に形成され、熱源側ケーシング（41）の右側面を形成するパネル部材（44）と、利用側ケーシング（42）の右側面を形成するパネル部材（44）とが一体に形成されている。
【００４０】
このように、熱源側ケーシング（41）と利用側ケーシング（42）とによって一体のケーシング（40）が構成されることによって、熱源側ユニット（20）と利用側ユニット（30）とが一体に構成されている。
【００４１】
〈熱源側ユニット〉
図３及び図５に示すように、熱源側ケーシング（41）の内部は、２つの仕切板（46,47）によって３つの空間に仕切られている。具体的には、鉛直方向に延びる第１仕切板（46）によって前後に２つの空間に仕切られ、後側の空間は、水平方向に延びる第２仕切板（47）によって上下にさらに２つの空間に仕切られている。つまり、熱源側ケーシング（41）の内部は、２つの仕切板（45,46）によって、第１仕切板（46）の前側の前側空間（S1）と、第１仕切板（46）の後側であって第２仕切板（47）の上側の後上側空間（S2）と、第１仕切板（46）の後側であって第２仕切板（47）の下側の後下側空間（S3）とに仕切られている。また、熱源側ケーシング（41）の背面側のパネル部材（44）には、後上側空間（S2）の下部に面する部分に、空気を後上側空間（S2）に吸い込む吸込口（26）が形成されている。一方、熱源側ケーシング（41）の上面側のパネル部材（44）には、後上側空間（S2）に面する部分に、後上側空間（S2）の空気を庫外へ吹き出す吹出口（27）が形成されている。
【００４２】
前側空間（S1）には、断熱部材（25）が設けられている。断熱部材（25）は、前側空間（S1）にウレタン等の発泡樹脂を充填することによって形成されている。詳細については後述するが、冷凍装置（10）は、糧食庫（1）の後側の側壁（5）の開口（6）に挿通され、熱源側ユニット（20）の前側の一部が庫内に露出した状態で、糧食庫（1）の後側の側壁（5）に取り付けられる。断熱部材（25）が設置された前側空間（S1）は、上述の設置位置において、熱源側ユニット（20）側の熱、例えば、凝縮器（22）において空気に放出される高圧冷媒の熱や庫外の空気の熱の、庫内への伝達を遮断できる大きさに形成されている。
【００４３】
後上側空間（S2）には、凝縮器（22）と熱源側ファン（24）とが収容されている。本実施形態では、熱源側ファン（24）は、後上側空間（S2）の上部であって上下方向の吸込口（26）と吹出口（27）との間の位置において、下方から空気を吸い込み、上方へ吹き出すように設けられている。一方、凝縮器（22）は、後上側空間（S2）の熱源側ファン（24）の下方に設けられている。また、凝縮器（22）は、後方の吸込口（26）から流入した空気が上方の熱源側ファン（24）に向かって円滑に流れるように、前後方向において後側に向かうほど上方に位置するように傾斜した状態で設けられている。
【００４４】
後下側空間（S3）には、圧縮機（21）と、図３では図示を省略する膨張弁（23）（図２を参照）と電装品箱（27）とが収容されている。圧縮機（21）は、後下側空間（S3）の左側に設けられ、電装品箱（27）は、後下側空間（S3）の右側に設けられている。電装品箱（27）は、筺状体と、該筺状体に収容された冷媒回路（11）を制御する制御部を含む各種電装品とを有している。
【００４５】
〈利用側ユニット〉
図３及び図６に示すように、利用側ケーシング（42）の内部空間（S4）は、単一の空間に構成されている。また、利用側ケーシング（42）の下面側のパネル部材（44）には、後側部分に、空気を内部空間（S4）に吸い込む吸込口（34）が形成されている。一方、利用側ケーシング（42）の前面のパネル部材（44）には、内部空間（S4）の空気を庫内へ吹き出す吹出口（35）が形成されている。
【００４６】
内部空間（S4）には、蒸発器（31）と利用側ファン（32）とドレンパン（33）が収容されている。本実施形態では、利用側ファン（32）は、内部空間（S4）の後側部分であって吸込口（34）の上方の前寄りの位置において、後方から空気を吸い込み、前方の吹出口（35）に対して略垂直に空気を吹き出すように設けられている。一方、蒸発器（31）は、内部空間（S4）の利用側ファン（32）の前方に設けられている。また、蒸発器（31）は、後方の利用側ファン（32）から吹き出された空気が前方の吹出口（35）に向かって円滑に流れるように、蒸発器（31）に形成された空気通路が吹出口（35）と略垂直な方向に延びるように設けられている。ドレンパン（33）は、内部空間（S4）の前側部分であって蒸発器（31）の下方に設けられている。蒸発器（31）において低圧冷媒によって冷却されて結露した水分は、蒸発器（31）を伝いながら落下して蒸発器（31）の下方に設けられたドレンパン（33）に回収される。このドレンパン（33）には、利用側ケーシング（42）の下面側のパネル部材（44）を貫通するドレンホース（36）が接続され、ドレンパン（33）に回収された結露水を外部へ排出する。
【００４７】
〈取付構造〉
図３に示すように、冷凍装置（10）は、熱源側ケーシング（41）に形成された吸込口（26）と吹出口（27）とが庫外に位置し且つ利用側ケーシング（42）に形成された吸込口（34）と吹出口（35）とが庫内に位置する設置位置（図３に示す位置）に配置されるように、熱源側ユニット（20）が糧食庫（1）の後側の側壁（5）の開口（6）に挿通された状態で、取付器具（50）によって、後側の側壁（5）に取り付けられている。また、取付器具（50）は、熱源側ユニット（20）を開口（6）に挿通させて上記設置位置に配置した状態で、冷凍装置（10）を糧食庫（1）の後側の側壁（5）に取り付ける取付作業が、庫内において行われるように構成されている。
【００４８】
図７乃至図９に示すように、取付器具（50）は、取付部材（51）と、補強金具（52）とを備えている。
【００４９】
取付部材（51）は、枠状部（第１の固定部）（53）と、４つの板状片部（第２の固定部）（54）と、延長部（55）と、支持台部（56）とを有している。本実施形態では、枠状部（53）と４つの板状片部（54）と延長部（55）と支持台部（56）とは、一体に形成されて取付部材（51）を構成している。
【００５０】
枠状部（53）は、４つの矩形の板状片によって形成され、熱源側ケーシング（41）の前端部を取り囲む矩形の枠状部材によって構成されている。枠状部（53）の４つの面には、それぞれボルト（61）を挿通する複数の挿通孔（53a）が形成されている。枠状部（53）は、複数の挿通孔（53a）に挿通された複数のボルト（61）によって、熱源側ケーシング（41）の前端部に固定されている。詳細については、後述するが、熱源側ケーシング（41）の前端部は、冷凍装置（10）が設置位置に設置された際に、糧食庫（1）の庫内に位置する部分となる。つまり、枠状部（53）は、設置位置に配置された冷凍装置（10）の熱源側ケーシング（41）の庫内に位置する部分にボルト（61）によって固定される第１の固定部を構成する。
【００５１】
４つの板状片部（54）は、枠状部（53）の上面の後端から上側に延びる矩形の板状片部（54）と、枠状部（53）の下面の後端から下側に延びる矩形の板状片部（54）と、枠状部（53）の左側面の後端から左側に延びる矩形の板状片部（54）と、枠状部（53）の右側面の後端から右側に延びる矩形の板状片部（54）とによって構成されている。各板状片部（54）には、それぞれボルト（63）を挿通する複数の挿通孔（54a）が形成されている。４つの板状片部（54）は複数の挿通孔（54a）に挿通された複数のボルト（63）によって、糧食庫（1）の側壁（5）の内面に固定されている。４つの板状片部（54）は、第１の固定部である枠状部（53）に連続し、糧食庫（1）の側壁（5）の内面にボルト（63）によって固定される第２の固定部を構成する。
【００５２】
延長部（55）は、枠状部（53）から後方へ延長され、枠状部（53）よりも前後方向に長い矩形の枠状部材によって構成されている。延長部（55）は、糧食庫（1）の側壁（5）の厚み（開口（6）の奥行き長さ）よりも前後方向の長さが長くなるように形成されている。詳細については後述するが、延長部（55）は、糧食庫（1）の側壁（5）に形成された開口（6）に、熱源側ユニット（20）を挿入する際に、該熱源側ユニット（20）をガイドするガイド部材となる。
【００５３】
支持台部（56）は、延長部（55）の底部に連続して後方に延びる矩形板状の上板部と、該上板部の後端から下方に延びる矩形板状の後板部と、上板部の左端から下方に延びる台形板状の左板部と、上板部の右端から下方に延びる台形板状の右板部とによって構成されている。支持台部（56）は、延長部（55）の底部と共に、冷凍装置（10）の荷重を支持する支持部を構成する。
【００５４】
補強金具（52）は、糧食庫（1）の後側の側壁（5）の開口（6）の周壁部に設けられ、該周壁部を補強するように構成されている。具体的には、補強金具（52）は、４つの溝形鋼（Ｕ型鋼）（52a）によって構成され、該４つの溝形鋼（52a）は、開口（6）の周壁部の４辺にそれぞれ１つずつ嵌め込まれている。このような構成により、糧食庫（1）の後側の側壁（5）の開口（6）の周壁部の全周が補強金具（52）によって補強されている。
【００５５】
また、上記４つの板状片部（54）は、糧食庫（1）の後側の側壁（5）の上記補強金具（52）によって補強された開口（6）の周壁部に、両端部にねじが形成されたボルト（63）と２つのナット（64）とによって複数箇所において固定されている。
【００５６】
各板状片部（54）と補強金具（52）との間には、パッキン（57）が設けられている。各板状片部（54）は、それぞれ対応する補強金具（52）との間にパッキン（57）が挟み込まれた状態で、庫内側のナット（64）を締め付けることにより、糧食庫（1）の後側の側壁（5）に取り付けられる。なお、４つの板状片部（54）以外は図示を省略するが、４つの板状片部（54）、補強金具（52）及びパッキン（57）には、上記ボルト（63）を挿通する複数の貫通孔が形成されている。また、４つの板状片部（54）とパッキン（57）と補強金具（52）の外側端部に、シリコンからなる封止部材（58）を設けることにより、それぞれの間が封止されている。このように、パッキン（57）及び封止部材（58）により、冷凍装置（10）と開口（6）の周壁部との間が封止され、庫外の空気の庫内への流入が阻止される。
【００５７】
−取付動作−
冷凍装置（10）は、設置位置に配置し、取付器具（50）によって糧食庫（1）の後側の側壁（5）に固定することにより、該側壁（5）に取り付けられる。
【００５８】
具体的には、まず、補強金具（52）を、糧食庫（1）の後側の側壁（5）の開口（6）の周壁部に嵌め込む。その後、取付部材（51）を開口（6）の周壁部に嵌め込み、取付部材（51）の４つの板状片部（54）を、複数のボルト（63）と複数のナット（64）とによって糧食庫（1）の後側の側壁（5）の内面に固定する。具体的には、補強金具（52）、パッキン（57）及び各板状片部（54）の各挿通孔に、庫外側のナット（64）が螺合されたボルト（63）を挿通させ、庫内側のナット（64）をボルト（63）に螺合させて締め付ける。その結果、４つの板状片部（54）が糧食庫（1）の後側の側壁（5）の内面に固定される。
【００５９】
次に、冷凍装置（10）を熱源側ケーシング（41）に形成された吸込口（26）と吹出口（27）とが庫外に位置し且つ利用側ケーシング（42）に形成された吸込口（34）と吹出口（35）とが庫内に位置する設置位置（図３に示す位置）に設置する。具体的には、庫内側から熱源側ユニット（20）を開口（6）に挿入し、本実施形態では、熱源側ケーシング（41）の前端部が取付部材（51）の枠状部（53）と対応する所定の固定位置に至るまで冷凍装置（10）を庫外側へ押し出す。このとき、熱源側ユニット（20）は、開口（6）の周壁部に嵌め込まれた取付部材（51）の枠状部（53）と延長部（55）とからなる筒部に挿入されて庫外側へ押し出される。熱源側ユニット（20）は、延長部（55）によって庫外側へ円滑に導かれる。
【００６０】
そして、熱源側ケーシング（41）の前端部が取付部材（51）の枠状部（53）と対応する所定の固定位置に到達すると、取付部材（51）の枠状部（53）を、ボルト（61）によって熱源側ケーシング（41）の前端部に固定する。その結果、糧食庫（1）の後側の側壁（5）の内面に固定された取付部材（51）が、熱源側ケーシング（41）の庫内に位置する部分に固定され、冷凍装置（10）が設置位置において糧食庫（1）の後側の側壁（5）に取り付けられる。
【００６１】
−実施形態１の効果−
本実施形態１によれば、熱源側ユニット（20）を糧食庫（1）の庫内側から側壁（5）の開口（6）に挿通させることによって船舶の糧食庫用の冷凍装置（10）を設置位置に配置し、設置位置に配置された冷凍装置（10）の熱源側ケーシング（41）の庫内に位置する部分に固定される枠状部（53）と糧食庫（1）の側壁（5）内面に固定される板状片部（54）とを有する取付部材（51）によって、冷凍装置（10）を糧食庫（1）の側壁（5）に取り付けることとした。このように、冷凍装置（10）が設置位置に配置された際に、枠状部（53）及び板状片部（54）が庫内に位置するように取付部材（51）を設けることにより、取付部材（51）の固定作業を庫内において行うことができる。よって、冷凍装置（10）を糧食庫（1）の側壁（5）に取り付けるための取付作業、即ち、冷凍装置（10）の配置作業及び取付部材（51）の固定作業を、庫内において行うことができる。また、逆に、冷凍装置（10）を取り外すための取り外し作業、即ち、取付部材（51）の枠状部（53）及び板状片部（54）の固定状態の解除と、冷凍装置（10）の開口（6）からの引き抜き作業とについても、庫内において行うことが可能となる。さらに、このように冷凍装置（10）の着脱作業を庫内において行うことができるため、冷凍装置（10）の着脱作業を要するメンテナンス作業についても庫内において行うことができる。つまり、本実施形態１によれば、船舶の糧食庫用の冷凍装置（10）の着脱作業及びメンテナンス作業を庫内において行うことができる。その結果、船舶に搭載された糧食庫（1）の狭い庫外において冷凍装置（10）の着脱作業及びメンテナンス作業を行う場合に比べて、格段に各作業の作業効率を向上させることができる。
【００６２】
また、本実施形態１によれば、取付部材（51）の熱源側ケーシング（41）に固定される部分を、設置位置に配置された冷凍装置（10）の熱源側ケーシング（41）の庫内に位置する部分を取り囲む枠状部材によって構成したため、取付部材（51）と熱源側ケーシング（41）との固定が強固になり、船舶の糧食庫用の冷凍装置（10）を糧食庫（1）の側壁（5）にしっかりと取り付けることができる。
【００６３】
また、本実施形態１によれば、取付部材（51）に、枠状部（53）から庫外側へ延長する延長部（55）を設けたため、熱源側ユニット（20）の庫内側から開口（6）への挿入を円滑に行うことができる。従って、船舶の糧食庫用の冷凍装置（10）の取付作業を容易化することができる。
【００６４】
また、本実施形態１によれば、取付部材（51）の４つの板状片部（54）が固定される開口（6）の周壁部を補強する補強金具（52）を設けることとした。言い換えると、補強金具（52）によって補強された開口（6）の周壁部に取付部材（51）を固定することとした。そのため、糧食庫（1）の側壁（5）において、冷凍装置（10）の荷重が負荷される部分の剛性を増大させることができる。従って、冷凍装置（10）を糧食庫（1）の側壁（5）にしっかりと取り付けることができる。
【００６５】
また、本実施形態１によれば、糧食庫（1）の庫外側に支持台部（56）を設けることとした。そのため、設置位置に配置された冷凍装置（10）の荷重を支持する支持面が大きくなる。よって、糧食庫（1）の側壁（5）の開口（6）の下方の周壁部の損傷を防止することができる。
【００６６】
〈発明の実施形態２〉
実施形態２は、実施形態１の取付器具（50）の構成を一部変更したものである。具体的には、図１０及び図１１に示すように、実施形態２では、取付部材（51）が、枠状部（第１の固定部）（53）と、４つの板状片部（第２の固定部）（54）とを有し、延長部（55）と支持台部（56）とを有していない。また、実施形態２では、糧食庫（1）の後側の側壁（5）の開口（6）の周壁部に設けられた補強金具（52）を構成する４つの溝形鋼（52a）のうち、開口（6）の下側に設けられた溝形鋼（52a）に、実施形態１と同形状の支持台部（56）が一体に形成されている。
【００６７】
実施形態２では、実施形態１と同様の手順により、冷凍装置（10）が糧食庫（1）の後側の側壁（5）に取り付けられる。即ち、取付部材（51）の４つの板状片部（54）を、糧食庫（1）の後側の側壁（5）の内面に固定した後に、冷凍装置（10）の熱源側ユニット（20）を取付部材（51）の枠状部（53）内に挿入して設置位置（図１０に示す位置）に配置し、取付部材（51）の枠状部（53）を熱源側ケーシング（41）の庫内に位置する前端部に固定する。
【００６８】
なお、実施形態２では、実施形態１と異なる手順によっても、冷凍装置（10）が糧食庫（1）の後側の側壁（5）に取り付けられる。
【００６９】
具体的には、補強金具（52）を、糧食庫（1）の後側の側壁（5）の開口（6）の周壁部に嵌め込むと共に、取付部材（51）の枠状部（53）を、ボルト（61）によって熱源側ケーシング（41）の前端部に固定する。そして、冷凍装置（10）を熱源側ケーシング（41）に形成された吸込口（26）と吹出口（27）とが庫外に位置し且つ利用側ケーシング（42）に形成された吸込口（34）と吹出口（35）とが庫内に位置する設置位置（図１０に示す位置）に設置する。ここでは、取付部材（51）が固定でされた冷凍装置（10）の熱源側ユニット（20）を庫内側から開口（6）に挿入し、取付部材（51）の４つの板状片部（54）が糧食庫（1）の後側の側壁（5）の内面に当接する所定の固定位置に至るまで冷凍装置（10）を庫外側へ押し出す。
【００７０】
そして、熱源側ケーシング（41）の前端部に固定された取付部材（51）の４つの板状片部（54）が糧食庫（1）の後側の側壁（5）の内面に当接する所定の固定位置に到達すると、取付部材（51）の４つの板状片部（54）を、複数のボルト（63）と複数のナット（64）とによって糧食庫（1）の後側の側壁（5）の内面に固定する。具体的には、冷凍装置（10）を設置位置に配置する前に、補強金具（52）及びパッキン（57）の挿通孔に、庫外側のナット（64）が螺合されたボルト（63）を挿通させておく。そして、冷凍装置（10）を設置位置に配置する際に、補強金具（52）及びパッキン（57）の挿通孔に挿通されたボルト（63）を、さらに各板状片部（54）の挿通孔に挿通させ、庫内側のナット（64）をボルト（63）に螺合させて締め付ける。その結果、設置位置において熱源側ケーシング（41）の庫内に位置する前端部に固定された取付部材（51）が、糧食庫（1）の後側の側壁（5）の内面に固定され、冷凍装置（10）が設置位置において糧食庫（1）の後側の側壁（5）に取り付けられる。
【００７１】
〈発明の実施形態３〉
実施形態３は、実施形態２の取付器具（50）の構成を一部変更したものである。実施形態３では、取付器具（50）は、設置位置に配置された冷凍装置（10）の熱源側ケーシング（41）の庫内に位置する部分を覆う断熱部材（59）を有している。
【００７２】
具体的には、図１２に示すように、断熱部材（59）は、熱源側ケーシング（41）の庫内に位置する前端部の上面、下面、左側面、右側面、前面を一体的に覆う断熱パネルからなる箱状に形成され、取付部材（51）の枠状部（53）の内面に固定されている。
【００７３】
実施形態３では、実施形態２に記載された実施形態１と異なる手順によって、冷凍装置（10）が糧食庫（1）の後側の側壁（5）に取り付けられる。
【００７４】
このような取付器具（50）によれば、熱源側ユニット（20）の利用側ユニット（30）に繋がる部分にしか断熱部材が設けられていない冷凍装置（10）を用いる場合に、冷凍装置（10）を変更することなく、容易に熱源側ユニット（20）から庫内への熱伝達を抑制して冷却効率の低下を防止することができる。
【００７５】
〈発明の実施形態４〉
実施形態４は、実施形態２の取付器具（50）の構成を一部変更したものである。図１３及び図１４に示すように、実施形態４では、取付部材（51）が、糧食庫（1）の後側の側壁（5）に形成された開口（6）を庫内側から閉塞する閉塞壁（70）によって構成されている。
【００７６】
閉塞壁（70）は、矩形の壁本体（71）と、該壁本体（71）の外周部を取り囲む枠部材（72）とによって構成されている。本実施形態では、壁本体（71）は、糧食庫（1）の側壁と同様の断熱パネルによって構成されると共に、内部に木材等の強度部材が設けられている。また、壁本体（71）は、開口（6）を閉塞可能なように、該開口（6）よりも大きく形成され、上部には、利用側ユニット（30）を挿通させるための貫通孔（71a）が形成されている。一方、枠部材（72）は、４つの溝形鋼（72a）によって構成され、該４つの溝形鋼（72a）は、壁本体（71）の外周部の４辺にそれぞれ１つずつ嵌め込まれている。このような構成により、壁本体（71）の外周部の全周が枠部材（72）によって補強されている。また、４つの溝形鋼（72a）には、ボルト（63）が挿通される挿通孔がそれぞれ複数ずつ形成され、壁本体（71）の４つの溝形鋼（72a）の挿通孔に対応する部分にも、ボルト（63）が挿通される挿通孔がそれぞれ形成されている。詳細については後述するが、枠部材（72）によって補強された閉塞壁（70）の外周部（70a）は、複数のボルト（63）によって糧食庫（1）の後側の側壁（5）の内面に固定される。つまり、枠部材（72）によって補強された閉塞壁（70）の外周部（70a）は、取付部材（51）の第２の固定部を構成している。
【００７７】
また、本実施形態では、冷凍装置（10）の熱源側ケーシング（41）に、４つの固定部材（75）が取り付けられている。４つの固定部材（75）は、山形鋼によって構成され、熱源側ケーシング（41）の前端部の周囲を取り囲むように上面、下面、左側面及び右側面のそれぞれに１つずつ固定されている。このような４つの固定部材（75）によって冷凍装置（10）が閉塞壁（70）に固定される。具体的には、利用側ユニット（30）を壁本体（71）の貫通孔（71a）に挿通した状態で、熱源側ケーシング（41）に取り付けられた４つの固定部材（75）を、壁本体（71）の庫外側の端面に固定する。これにより、冷凍装置（10）が閉塞壁（70）に固定される。つまり、閉塞壁（70）の４つの固定部材（75）に対応する部分は、取付部材（51）の第１の固定部を構成している。
【００７８】
実施形態４では、以下の手順によって、冷凍装置（10）が糧食庫（1）の後側の側壁（5）に取り付けられる。
【００７９】
まず、補強金具（52）を、糧食庫（1）の後側の側壁（5）の開口（6）の周壁部に嵌め込むと共に、取付部材（51）を構成する閉塞壁（70）を、ボルト等によって熱源側ケーシング（41）の前端部に固定された４つの固定部材（75）に固定する。そして、冷凍装置（10）を熱源側ケーシング（41）に形成された吸込口（26）と吹出口（27）とが庫外に位置し且つ利用側ケーシング（42）に形成された吸込口（34）と吹出口（35）とが庫内に位置する設置位置（図１３に示す位置）に設置する。ここでは、閉塞壁（70）が固定された冷凍装置（10）の熱源側ユニット（20）を庫内側から開口（6）に挿入し、閉塞壁（70）が糧食庫（1）の後側の側壁（5）の内面に当接する所定の固定位置に至るまで冷凍装置（10）を庫外側へ押し出す。
【００８０】
そして、閉塞壁（70）が糧食庫（1）の後側の側壁（5）の内面に当接する所定の固定位置に到達すると、閉塞壁（70）の外周部（70a）を、複数のボルト（63）と複数のナット（64）とによって糧食庫（1）の後側の側壁（5）の内面に固定する。具体的には、冷凍装置（10）を設置位置に配置する前に、補強金具（52）及びパッキン（57）の挿通孔に、庫外側のナット（64）が螺合されたボルト（63）を挿通させておく。そして、冷凍装置（10）を設置位置に配置する際に、補強金具（52）及びパッキン（57）の挿通孔に挿通されたボルト（63）を、さらに閉塞壁（70）の壁本体（71）と枠部材（72）とに形成された挿通孔に挿通させ、庫内側のナット（64）をボルト（63）に螺合させて締め付ける。その結果、設置位置において熱源側ケーシング（41）の庫内に位置する前端部に固定された閉塞壁（70）が、糧食庫（1）の後側の側壁（5）の内面に固定され、冷凍装置（10）が設置位置において糧食庫（1）の後側の側壁（5）に取り付けられる。
【００８１】
実施形態４によれば、利用側ユニット（30）が挿通される貫通孔を形成した閉塞壁（70）によって、取付部材（51）を容易に構成することができる。
【００８２】
また、実施形態４によれば、枠部材（72）が設けられて補強された閉塞壁（70）の外周部（70a）を、糧食庫（1）の後側の側壁（5）の内面に固定することとした。従って、冷凍装置（10）の荷重が負荷される閉塞壁（70）の外周部（70a）の剛性を増大させることができるため、冷凍装置（10）を糧食庫（1）の側壁にしっかりと取り付けることができる。
【００８３】
〈その他の実施形態〉
上記実施形態１〜３では、枠状部（53）は、ボルト（61）によって固定されていたが、枠状部（53）を固定する固定具は、ボルト（61）に限られず、枠状部（53）を熱源側ケーシング（41）の前端部に固定することができるものであればいかなるものであってもよい。
【００８４】
また、上記実施形態１〜３では、板状片部（54）は、ボルト（63）とナット（64）とによって固定されていたが、板状片部（54）を固定する固定具は、ボルト（63）とナット（64）に限られず、板状片部（54）を糧食庫（1）の側壁（5）の内面に固定することができるものであればいかなるものであってもよい。
【００８５】
また、上記実施形態４では、支持台部（56）を設けていないが、実施形態２と同様に、開口（6）の周壁部に設けられた補強金具（52）を構成する４つの溝形鋼（52a）のうちの開口（6）の下側に設けられた溝形鋼（52a）に、実施形態１と同形状の支持台部（56）を一体に形成することとしても勿論よい。
【００８６】
なお、以上の実施形態は、本質的に好ましい例示であって、本発明、その適用物、あるいはその用途の範囲を制限することを意図するものではない。
【産業上の利用可能性】
【００８７】
以上説明したように、本発明は、船舶の糧食庫用冷凍装置の取付器具及び船舶の糧食庫用冷凍装置の取付方法について有用である。
【符号の説明】
【００８８】
１      糧食庫
５      側壁
６      開口
１０      冷凍装置（糧食庫用冷凍装置）
１１      冷媒回路
１２      熱源側回路
１３      利用側回路
２０      熱源側ユニット
２１      圧縮機
２２      凝縮器
２３      膨張弁（膨張機構）
２４      熱源側ファン
３０      利用側ユニット
３１      蒸発器
３２      利用側ファン
４１      熱源側ケーシング
４２      利用側ケーシング
５０      取付器具
５１      取付部材
５２      補強金具
５３      枠状部（第１の固定部、枠状部材）
５４      板状片部（第２の固定部）
５５      延長部 
５６      支持台部（支持台）
５９      断熱部材
７０      閉塞壁
【図１】
0005865874.tif 000002
【図２】
0005865874.tif 000003
【図３】
0005865874.tif 000004
【図４】
0005865874.tif 000005
【図５】
0005865874.tif 000006
【図６】
0005865874.tif 000007
【図７】
0005865874.tif 000008
【図８】
0005865874.tif 000009
【図９】
0005865874.tif 000010
【図１０】
0005865874.tif 000011
【図１１】
0005865874.tif 000012
【図１２】
0005865874.tif 000013
【図１３】
0005865874.tif 000014
【図１４】
0005865874.tif 000015